(57)【要約】【課題】  さまざまな用途を具えた食器具を提供する。【解決手段】左右対称に形成され、それぞれ挟持部と、該挟持部の一端に形成された食材受け部とを含んでなり、互いに組み合わせることができ、該食材受け部を互いに隣接させて組み合わせて食材受け手段を形成することができる本体と、孔を具えてなり、該孔に組み合わせた本体を貫通させて該本体の挟持部の外側に設けて、本体の食材受け手段を固定する。【選択図】図１
0003128722.tif 000002
【実用新案登録請求の範囲】
【請求項１】
左右対称に形成され、それぞれ挟持部と、該挟持部の一端に形成された食材受け部とを含んでなり、互いに組み合わせることができ、該食材受け部を互いに隣接させて組み合わせて食材受け手段を形成することができる本体と、
孔を具えてなり、該孔に組み合わせた本体を貫通させて該本体の挟持部の外側に設けて、本体の食材受け手段を固定することを特徴とする食器具。
【請求項２】
前記本体が接続面を具えてなり、本体それぞれを組み合わせる場合に供することを特徴とする請求項１に記載の食器具。
【請求項３】
前記食材受け部がスプーンの形状を呈することを特徴とする請求項１に記載の食器具。
【請求項４】
前記食材受け部がフォークの形状を呈することを特徴とする請求項１に記載の食器具。
【請求項５】
前記食材受け部がナイフの形状を呈することを特徴とする請求項１に記載の食器具。
【請求項６】
前記挟持部が箸の形状を呈することを特徴とする請求項１に記載の食器具。
【請求項７】
前記接続部材が密接した状態で本体の挟持部の外側に設けられることを特徴とする請求項１に記載の食器具。
【請求項８】
前記接続部材が弾性体からなることを特徴とする請求項１に記載の食器具。
【請求項９】
前記接続部材に設けられた孔の内壁にパッドを設けることを特徴とする請求項１に記載の食器具。
【請求項１０】
前記接続部材に設けられた孔が貫通孔であることを特徴とする請求項１に記載の食器具。
【請求項１１】
前記接続部材に設けられた孔が一端が封鎖した閉じた状態の挿入孔に形成することを特徴とする請求項１に記載の食器具。
【考案の詳細な説明】
【技術分野】
【０００１】
この考案は、食器具に関し、特に食事をする場合に食材を挟む、すくう、刺すなどして口に運ぶために使用する食器具に関する。
【背景技術】
【０００２】
従来の食器具はそれぞれ食材を口に運ぶ場合の方法が異なり、食材に適した食器具を選択する場合、それぞれ異なる食器具を選択しなければならない。箸、スプーン、ナイフ、フォークなどは通常よく見かける食器具であるが、使用する場合の用途が異なるため、食器具の形態や構造もそれぞれ異なる。
【０００３】
食事する場合、２種類以上の食器具を使用する場合が多いため、便利なように食前にそれぞれの食材に応じた食器具を準備しなければならない。
【０００４】
しかしながら、食事の際に使用する食器具が多くなるほど食前に食器具を準備する時間や労力が必要になるだけでなく、食器具がテーブルに占める面積も広がる。また、使用した食器具を洗う時間や労力などの負担も増加する。
【０００５】
前述のように、食器具は異なる用途に合わせてさまざまな形態の食器具が開発されている。しかしながら、使用上、前述のようなさまざまな問題がある。よって、従来の食器具を改善して、実用的な食器具を開発する必要がある。
【考案の開示】
【考案が解決しようとする課題】
【０００６】
この考案は、さまざまな用途を具えた食器具を提供することを課題とする。
【課題を解決するための手段】
【０００７】
そこで本考案者は、従来の技術に鑑み鋭意研究を重ねた結果、左右対称に形成され、それぞれ挟持部と、該挟持部の一端に形成された食材受け部とを含んでなり、互いに組み合わせることができ、該食材受け部を互いに隣接させて組み合わせて食材受け手段を形成することができる本体と、
孔を具えてなり、該孔に組み合わせた本体を貫通させて該本体の挟持部の外側に設けて、本体の食材受け手段を固定する食器具の構造によって課題を解決できる点に着眼し、係る知見に基づき本発明を完成させた。
以下、この考案について具体的に説明する。
【０００８】
請求項１に記載する食器具は、左右対称に形成され、それぞれ挟持部と、該挟持部の一端に形成された食材受け部とを含んでなり、互いに組み合わせることができ、該食材受け部を互いに隣接させて組み合わせて食材受け手段を形成することができる本体と、
孔を具えてなり、該孔に組み合わせた本体を貫通させて該本体の挟持部の外側に設けて、本体の食材受け手段を固定する。
【０００９】
請求項２に記載の食器具は、請求項１における本体が接続面を具えてなり、本体それぞれを組み合わせる場合に供する。
【００１０】
請求項３に記載の食器具は、請求項１における食材受け部がスプーンの形状を呈する。
【００１１】
請求項４に記載の食器具は、請求項１における食材受け部がフォークの形状を呈する。
【００１２】
請求項５に記載の食器具は、請求項１における食材受け部がナイフの形状を呈する。
【００１３】
請求項６に記載の食器具は、請求項１における挟持部が箸の形状を呈する。
【００１４】
請求項７に記載の食器具は、請求項１における接続部材が密接した状態で本体の挟持部の外側に設けられる。
【００１５】
請求項８に記載の食器具は、請求項１における接続部材が弾性体からなる。
【００１６】
請求項９に記載の食器具は、請求項１における接続部材に設けられた孔の内壁にパッドを設ける。
【００１７】
請求項１０に記載の食器具は、請求項１における接続部材に設けられた孔が貫通孔である。
【００１８】
請求項１１に記載の食器具は、請求項１における接続部材に設けられた孔が一端が封鎖した閉じた状態の挿入孔に形成する。
【考案の効果】
【００１９】
この考案の食器具は、様々な機能を具えているため、食事の際に使用する食器具の数を減らすことができ、実用的であるという効果を有する。
【考案を実施するための最良の形態】
【００２０】
この考案は、この考案は、さまざまな用途を具えた食器具であって、左右対称に形成され、それぞれ挟持部と、該挟持部の一端に形成された食材受け部とを含んでなり、互いに組み合わせることができ、該食材受け部を互いに隣接させて組み合わせて食材受け手段を形成することができる本体と、孔を具えてなり、該孔に組み合わせた本体を貫通させて該本体の挟持部の外側に設けて、本体の食材受け手段を固定することができるという目的を達成した。
係る構成の食器具について、その構造と特徴を詳述するために具体的な実施例を挙げ、以下に説明する。
【実施例】
【００２１】
図１から３に開示するように、この考案の食器具１０は、左右対称に形成された一対の本体１２、１４と、接続部材１６とを含んでなる。該本体１２、１４はそれぞれ挟持部１２２、１４２と、該挟持部１２２、１４２の一端に形成された食材受け部１２４、１４４とを具えてなる。
【００２２】
該挟持部１２２、１４２は細長く、箸のような形状を呈し、食材受け部１２４、１４４はスプーン、フォーク、ナイフのような形状を呈するように形成する。この実施例において食材受け部１２４、１４４はスプーンの形状を呈するように形成し、アイスクリームをこそぎ取る場合や、ソース類や食材を掬い取る場合に適している。
【００２３】
本体１２、１４は接続面１２６、１４６を具えてなるとともに、該接続面１２６、１４６を利用して本体１２、１４を互いに組み合わせる。よって、本体１２、１４上に形成されたスプーン状を呈する２つの食材受け部１２４、１４４を組み合わせて１つのスプーンを一端に形成し、より多くのソース類、食材、スープなどをすくって食べることができる。
【００２４】
接続部材１６は本体１２、１４を組み合わせて一体にして固定するために供する。該接続部材１６は中心に孔が形成された中空のリング体で、本体１２、１４を組み合わせた後、該孔に組み合わせた本体１２、１４を貫通させて、該本体１２、１４の外側に設けて本体１２、１４を固定する。
【００２５】
使用する場合には接続部材１６に設ける孔１６２を貫通孔に形成する以外に、図４に開示するように、他端が封鎖した閉じた状態の挿入孔として孔１６２を形成して、接続部材１６が本体１２、１４の挟持部１２２、１４２の外側を被覆してケースとなるように形成してもよい。
【００２６】
接続部材１６は本体１２、１４の挟持部１２２、１４２の外側に設けて本体１２、１４を安定的に固定するために使用する。このため、接続部材１６は本体１２、１４を密接に固定するサイズに形成されて、本体１２、１４から簡単に外れることがない。
【００２７】
また、接続部材１６は弾性の材質から形成するため、接続部材１６上の孔１６２は弾性と伸縮性を具えてなる。もしくは図５に開示するように、硬質の材質から形成した接続部材１６の孔の内壁にパッド１６４を設け、該パッド１６４により本体１２、１４と接続部材１６との隙間を埋めるとともに、組み合わせた後の表面の摩擦力を増加させる。
【００２８】
この考案の食器具１０は箸として使用する以外に、本体１２、１４を単独で使用して、それぞれの食材受け部１２４、１４４を利用して食材を取り分けてもよい。また、該本体１２、１４は組み合わせた後、接続部材１６で固定して２つの食材受け部１２４、１４４を組み合わせた食材受け手段１８に形成してもよい。
【００２９】
さらに、使用する場合には本体１２、１４に形成されたそれぞれの食材受け部１２４、１４４を組み合わせて食材受け手段１８を形成する概念を応用し、図６に開示するように、食材受け部１２４、１４４をフォークを呈するように形成し、本体１２、１４を組み合わせるとさらに大きなフォークになるように形成してもよい。また、図７に開示するように、食材受け部１２４、１４４をナイフを呈するように形成して、組み合わせた後に２つの刃を具えたナイフになるように形成してもよい。よって、前述の説明のように、この考案の食器具１０は１つの食器具に様々な機能を設けることができる。
【００３０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３１】
【図１】この考案の食器具を組み合わせた状態を示した斜視図である。
【図２】図１に開示した食器具を示した平面図である。
【図３】この考案の食器具を分解した状態を示した斜視図である。
【図４】この考案の食器具に他の形態の接続部材を設けた状態を示した斜視図である。
【図５】この考案の食器具の他の形態の接続部材を示した断面図である。
【図６】この考案の食器具の他の実施形態を示した平面図である。
【図７】この考案の食器具のその他の実施形態を示した平面図である。
【符号の説明】
【００３２】
１０ 食器具
１２ 本体
１２２ 挟持部
１２４ 食材受け部
１２６ 接続面
１４ 本体
１４２ 挟持部
１４４ 食材受け部
１４６ 接続面
１６ 接続部材
１６２ 孔
１６４ パッド
１８ 食材受け手段
【図１】
0003128722.tif 000003
【図２】
0003128722.tif 000004
【図３】
0003128722.tif 000005
【図４】
0003128722.tif 000006
【図５】
0003128722.tif 000007
【図６】
0003128722.tif 000008
【図７】
0003128722.tif 000009
【手続補正書】
【提出日】平成18年11月15日(2006.11.15)
【手続補正１】
【補正対象書類名】実用新案登録請求の範囲
【補正対象項目名】請求項１
【補正方法】変更
【補正の内容】
【請求項１】
左右対称に形成され、それぞれ挟持部と、該挟持部の一端に形成された食材受け部とを含んでなり、互いに組み合わせることができ、該食材受け部を互いに隣接させて組み合わせて食材受け手段を形成することができる本体と、
中心に孔が設けられた中空の接続部材で、該孔に組み合わせた本体を貫通させて該本体の挟持部の外側に設けて、本体の食材受け手段を固定することを特徴とする食器具。
【手続補正２】
【補正対象書類名】明細書
【補正対象項目名】０００７
【補正方法】変更
【補正の内容】
【０００７】
そこで本考案者は、従来の技術に鑑み鋭意研究を重ねた結果、左右対称に形成され、それぞれ挟持部と、該挟持部の一端に形成された食材受け部とを含んでなり、互いに組み合わせることができ、該食材受け部を互いに隣接させて組み合わせて食材受け手段を形成することができる本体と、
中心に孔が設けられた中空の接続部材で、該孔に組み合わせた本体を貫通させて該本体の挟持部の外側に設けて、本体の食材受け手段を固定する食器具の構造によって課題を解決できる点に着眼し、係る知見に基づき本発明を完成させた。
以下、この考案について具体的に説明する。
【手続補正３】
【補正対象書類名】明細書
【補正対象項目名】０００８
【補正方法】変更
【補正の内容】
【０００８】
請求項１に記載する食器具は、左右対称に形成され、それぞれ挟持部と、該挟持部の一端に形成された食材受け部とを含んでなり、互いに組み合わせることができ、該食材受け部を互いに隣接させて組み合わせて食材受け手段を形成することができる本体と、
中心に孔が設けられた中空の接続部材で、該孔に組み合わせた本体を貫通させて該本体の挟持部の外側に設けて、本体の食材受け手段を固定する。